(57)【要約】【課題】デサインや色彩の異なったものや、季節感に応じたもの等に、肩ベルトを使用者側で取り替えることができると共に、肩ベルトが使用中にランドセルの重量により肩からずれず、ランドセルの背当て部が使用者の背中に密着して、ランドセルの重心が使用者の背中から離れることのないランドセルの肩ベルト取付具を提供する。【解決手段】ランドセルＲの背当て部Ｒｐの上部に設けられるものとしており、取付台１の上部に設けた左右一対の連結部２に、肩ベルト３の上端に固着した一対の連結部材４を、それぞれ着脱自在に連結したものとしている。【選択図】        図１
2005007043.tif 000002
【特許請求の範囲】
【請求項１】
ランドセル（Ｒ）の背当て部（Ｒｐ）の上部に設けられる肩ベルト取付具であって、取付台（１）の上部に設けた左右一対の連結部（２）に、肩ベルト（３）の上端に固着した一対の連結部材（４）を、それぞれ着脱自在に連結したことを特徴とするランドセルの肩ベルト取付具。
【請求項２】
前記連結部（２）と連結部材（４）とを着脱具（５）により着脱自在としたことを特徴とする請求項１記載のランドセルの肩ベルト取付具。
【請求項３】
前記連結部材（４）を、ランドセル（Ｒ）の背当て部（Ｒｐ）の左右方向に揺動自在なものとしたことを特徴とする請求項１記載のランドセルの肩ベルト取付具。
【請求項４】
前記着脱具（５）の着脱を専用キー（１５）で行うようにしたことを特徴とする請求項２記載のランドセルの肩ベルト取付具。
【請求項５】
前記連結部（２）を、取付台（１）に形成した略半円周溝（６）に略下半部を一体とし、略上半部を上方に突設したリング体（２ａ）とし、前記連結部材（４）を、下部の外周に前記略半円周溝（６）に沿う外周面（７）を有する一対のリング体（４ａ）とし、これらリング体（４ａ）の間に前記連結部（２）のリング体（２ａ）が嵌まり込んでこのリング体（２ａ）の外周面（８）が沿う略半円周溝（９）を形成したものとし、
前記着脱具（５）を、捩り溝（１２）を有した頭部（５ａ）に円柱状胴部（５ｂ）を連設したものとし、円柱状胴部（５ｂ）の先端の対向位置には凸部（５ｃ）を設けたものとし、
前記連結部（２）のリング体（２ａ）、連結部材（４）のリング体（４ａ）のそれぞれのリング孔（２ｂ、４ｂ）内には対向位置にそれぞれ凹部（１３、１４）を設けたものとし、
前記連結部（２）のリング体（２ａ）を連結部材（４）の一対のリング体（４ａ）の間に差し込んで、これらリング体（２ａ、４ａ）の凹部（１３、１４）どうしを位置合わせし、さらにこれら凹部（１３、１４）に、着脱具（５）の凸部（５ｃ）をそれぞれを位置合わせして、リング体（２ａ、４ａ）のリング孔（２ｂ、４ｂ）内に着脱具（５）を挿入したり、この状態から着脱具（５）を捩じって、前記リング体（２ａ、４ａ）の凹部（１３、１４）と、着脱具（５）の凸部（５ｃ）の位置をずらすようにしたことを請求項２記載のランドセルの肩ベルト取付具。
【発明の詳細な説明】
【０００１】
【発明の属する技術分野】
この発明は、ランドセルの肩ベルト取付具に関するものである。
【０００２】
【従来の技術】
従来のランドセルの肩ベルト取付具としては、肩ベルトの上端の取り付け位置を、ランドセルの背当て部の左右方向に揺動することができるものが存在する。このランドセルの取付具は、図９、１０に示したように、肩ベルト２１の上端をリベット止めして連結する一対の取付環２２をそれぞれ取り付けた一対の連結板２３の対向側面にそれぞれ歯部２３ａを設け、これら歯部２３ａを互いに噛み合わせて連結板２３をランドセルＲの背当て部Ｒｐにそれぞれ揺動自在に取り付けると共に前記連結板２３にそれぞれ内方向の弾力を付したものとしている。そして、これら連結板２３を上下被覆板２４ａ、２４ｂの間に挟み込み、上被覆板２４ａの周端に設けられたリベット孔２５から下被覆板２４ｂの周端に設けられたリベット孔２６にリベット（図示せず）を貫通させて、ランドセルＲの背当て部Ｒｐにの裏側に取り付けられる止め板（図示せず）にリベット止めすることにより、前記一対の連結板２３をランドセルＲの背当て部Ｒｐに取り付けたものとしている（特許文献１参照）。
【０００３】
このようにした、従来のランドセルの肩ベルト取付具は、使用者の体格に合わせて肩ベルト２１の上端の取り付け位置を背当て部Ｒｐの左右方向に揺動させることができるので、非常に使用し易く、使用者に圧迫感や疲労感を与えないものとしている。
【０００４】
【特許文献１】
実公平４−３０８９２号（第２頁、第２、３図）
【０００５】
【発明が解決しようとする課題】
しかしながら、上記従来のランドセルの肩ベルト取付具では、肩ベルト２１の上端を取付環２２にリベット止めして連結したものとしているので、肩ベルト２１を取付環２２から外すことができず、デサインや色彩の異なったものや、季節感に応じたもの等に、使用者側で取り替えることができないという課題を有していた。
【０００６】
また、上記従来のランドセルの肩ベルト取付具では、肩ベルト２１の上端を連結した取付環２２がランドセルを背負った場合に、図１１に示したように、使用者の背中方向に回動し、使用中に肩ベルト２１がランドセルの重量により次第に肩からずれて、使用者の背中から離れて後方へ傾いてしまう。そのため、ランドセルの重心が使用者の背中から離れ、ランドセルが背負い難くなると共に重く感じるという課題を有していた。さらに、使用者の背中から離れて後方へ傾いてしまうため、ランドセルの背当て部の下端部が使用者の背中に当たって、使用者が痛みを感じたりし、使用感が悪いという課題を有していた。
【０００７】
そこで、この発明は、上記従来の課題を解決するものであり、デサインや色彩の異なったものや、季節感に応じたもの等に、肩ベルトを使用者側で取り替えることができると共に、肩ベルトが使用中にランドセルの重量により肩からずれず、ランドセルの背当て部が使用者の背中に密着して、ランドセルの重心が使用者の背中から離れることのないランドセルの肩ベルト取付具を提供することを目的としてなされたものである。
【０００８】
【課題を解決するための手段】
この発明のランドセルの肩ベルト取付具は、ランドセルＲの背当て部Ｒｐの上部に設けられるものとしており、取付台１の上部に設けた左右一対の連結部２に、肩ベルト３の上端に固着した一対の連結部材４を、それぞれ着脱自在に連結したものとしている。
【０００９】
そして、この発明のランドセルの肩ベルト取付具は、前記連結部２と連結部材４とを着脱具５により着脱自在としている。
【００１０】
さらに、この発明のランドセルの肩ベルト取付具は、前記連結部材４を、ランドセルＲの背当て部Ｒｐの左右方向に揺動自在なものとしている。
【００１１】
また、この発明のランドセルの肩ベルト取付具は、前記着脱具５の着脱を専用キー１５で行うようにしている。
【００１２】
さらに、この発明のランドセルの肩ベルト取付具は、前記連結部２を、取付台１に形成した略半円周溝６に略下半部を一体とし、略上半部を上方に突設したリング体２ａとしている。また、連結部材４を、下部の外周に前記略半円周溝６に沿う外周面７を有する一対のリング体４ａとし、これらリング体４ａの間に前記連結部２のリング体２ａが嵌まり込んでこのリング体２ａの外周面８が沿う略半円周溝９を形成したものとしている。また、着脱具５を、捩り溝１２を有した頭部５ａに円柱状胴部５ｂを連設したものとし、円柱状胴部５ｂの先端の対向位置には凸部５ｃを設けたものとしている。また、前記連結部２のリング体２ａ、連結部材４のリング体４ａのそれぞれのリング孔２ｂ、４ｂ内には対向位置にそれぞれ凹部１３、１４を設けたものとしている。そして、前記連結部２のリング体２ａを連結部材４の一対のリング体４ａの間に差し込んで、これらリング体２ａ、４ａの凹部１３、１４どうしを位置合わせし、さらにこれら凹部１３、１４に、着脱具５の凸部５ｃをそれぞれを位置合わせして、リング体２ａ、４ａのリング孔２ｂ、４ｂ内に着脱具５を挿入したり、この状態から着脱具５を捩じって、前記リング体２ａ、４ａの凹部１３、１４と、着脱具５の凸部５ｃの位置をずらすようにしている。
【００１３】
【発明の実施の形態】
以下、この発明のランドセルの肩ベルト取付具の実施の形態を、図面に基づいて詳細に説明する。
【００１４】
図１は、この発明のランドセルの肩ベルト取付具を用いたランドセルを背当て部側から見た図を示しており、図２は、図１の肩ベルト取付具の斜視図を示している。この発明のランドセルの肩ベルト取付具は、ランドセルＲの背当て部Ｒｐの上部に設けられるものとしており、取付台１の上部に設けた左右一対の連結部２に、肩ベルト３の上端に固着した一対の連結部材４を、それぞれ着脱具５の操作により着脱自在に連結したものとしている。そして、肩ベルト３の下端は、ランドセルＲの底部に設けた取付具（図示せず）に取り付けられている。なお、背当て部Ｒｐの上部とは、背当て部Ｒｐの最上端または最上端から少し下げた位置のことをいう。
【００１５】
取付台１は、図３に示すように、合成樹脂材等からなる横長尺体の中央上部にランドセルＲを吊り下げておくための吊下環１ａを設け、この吊下環１ａを挟んで両側に略半円溝６を形成したものとしている。そして、この取付台１に形成した略半円周溝６の中央に略下半部を一体とし、略上半部を上方に突設したリング体２ａとした連結部２を設けたものとしている。
【００１６】
肩ベルト３は、厚手の皮革や合成樹脂地等からなるものとしており、必要に応じて、上端部に弾性合成樹脂板や弾性金属板等の弾性部材（図示せず）を挟み込んだり、沿わせたものとしている。
【００１７】
連結部材４は、図３に示すように、下部の外周に前記略半円周溝６に沿う外周面７を有する一対のリング体４ａとし、これらリング体４ａの間に前記連結部２のリング体２ａが嵌まり込んでこのリング体２ａの外周面８が沿う略半円周溝９（図６参照）を形成したものとしている。また、連結部材４は、上部に挿入穴１０ａを有した挿入部１０を一体的に形成したものとしている。そして、この挿入穴１０ａに前記肩ベルト３の上端を挿入して、挿入部１０に設けたリベット孔１０ｂにリベット１１を挿入し、リベット止めして固着したものとしている。
【００１８】
着脱具５は、例えば略Ｓ字形状等とした捩り溝１２を有した頭部５ａに円柱状胴部５ｂを連設したものとし、円柱状胴部５ｂの先端の対向位置には凸部５ｃを設けたものとしている。
【００１９】
さらに、前記連結部２のリング体２ａ、連結部材４のリング体４ａのそれぞれのリング孔２ｂ、４ｂ内には対向位置にそれぞれ凹部１３、１４を設けたものとしている。
【００２０】
そこで、前記取付台１の連結部２に連結部材４を連結するには、取付台１の連結部２のリング体２ａを連結部材４の一対のリング体４ａの間に差し込んで、これらリング体２ａ、４ａの凹部１３、１４どうしを位置合わせする。次に、位置合わせしたこれら凹部１３、１４に、着脱具５の凸部５ｃをそれぞれを位置合わせして、リング体２ａ、４ａのリング孔２ｂ、４ｂ内に着脱具５を挿入する。そして、着脱具５の凸部５ｃがリング体２ａ、４ａの凹部１３、１４を通過した後、専用キー１５を用いて着脱具５を捩じって、前記リング体２ａ、４ａの凹部１３、１４と、着脱具５の凸部５ｃの位置をずらすようにすれば、着脱具５が装着され連結部２から連結部材４が抜けなくなり、連結部２と連結部材４とを連結しておくことができる。このような連結状態では、連結部材４は、連結部２と回動自在となり、ランドセルＲの背当て部Ｒｐの左右方向に揺動自在なものとなる。
【００２１】
また、このようにして連結した連結部２と連結部材４は、専用キー１５を用いて着脱具５を捩じって、前記リング体２ａ、４ａの凹部１３、１４と、前記着脱具５の凸部５ｃの位置を一致させるようにして、この着脱具５をリング体２ａ、４ａのリング孔２ｂ、４ｂ内から押し出せば、着脱具５が脱着され連結部２から連結部材４を取り外しておくことができる。
【００２２】
なお、専用キー１５は、金属板等からなり、図７に示したように、一端に着脱具５の捩り溝１２に合致する嵌込み部１５ａを形成し、この嵌込み部１５ａを捩り溝１２に嵌め込んで捩ることにより、着脱具５を捩れるようにしており、また他端にリング孔２ｂ、４ｂ内に挿入した着脱具５の円柱状胴部５ｂの先端に当てて、この着脱具５をリング孔２ｂ、４ｂ内から押し戻せるようにした凸部１５ｂを形成したものとしている。
【００２３】
以上のように構成したこの発明のランドセルの肩ベルト取付具は、取付台１に設けた連結部２に、肩ベルト３の上端に固着した連結部材４を着脱自在として連結しているので、肩ベルト３を取り替えたいときには、その肩ベルト３を連結部材４ごと外して、連結部材４を固着した別の肩ベルト３を、取付台１に設けた連結部２に再度、取り付ければよい。
【００２４】
また、この発明のランドセルの肩ベルト取付具は、肩ベルト３の上端に固着した連結部材４がランドセルＲの上方に向いた状態となっているので、使用者がランドセルＲを背負った場合には、図８に示したように、ランドセルＲが肩ベルト３によって常に上方または斜め上方に引っ張られた状態となる。したがって、このような状態でランドセルＲを背負うと、ランドセルＲの背当て部Ｒｐが使用者の背中に密着した状態に保たれることになる。
【００２５】
さらに、この発明のランドセルの肩ベルト取付具は、ランドセルＲの背当て部Ｒｐの上部での肩ベルト３の位置を、連結部材４の揺動幅内において、使用者の体格に応じて左右方向に揺動することができる。したがって、肩掛けベルト３の位置を使用者の体格に応じたものとすることができる。
【００２６】
【発明の効果】
この発明のランドセルの肩ベルト取付具は、以上に述べたように構成されているので、デサインや色彩の異なったものや、季節感に応じたもの等に、肩ベルトを使用者側で取り替えることができると共に、肩ベルトが使用中にランドセルの重量により肩からずれず、ランドセルの背当て部が使用者の背中に密着して、ランドセルの重心が使用者の背中から離れず、ランドセルが重く感じることがなく、しかもランドセルの使用感が良いものとなる。
【図面の簡単な説明】
【図１】この発明のランドセルの肩ベルト取付具を用いたランドセルを背当て部側から見た説明図である。
【図２】この発明のランドセルの肩ベルト取付具の斜視図である。
【図３】この発明のランドセルの肩ベルト取付具の分解斜視図である。
【図４】図２中のＡ−Ａ線によるこの発明のランドセルの肩ベルト取付具の断面図である。
【図５】この発明のランドセルの肩ベルト取付具の取付台および連結部の縦断面図である。
【図６】この発明のランドセルの肩ベルト取付具の連結部材の縦断面図である。
【図７】この発明のランドセルの肩ベルト取付具の専用キーの斜視図である。
【図８】この発明のランドセルの肩ベルト取付具を用いたランドセルを背負った状態を示す側面図である。
【図９】従来のランドセルの肩ベルト取付具の一部分解斜視図である。
【図１０】従来のランドセルの肩ベルト取付具を用いたランドセルを背当て部側から見た説明図である。
【図１１】従来のランドセルの肩ベルト取付具を用いたランドセルを背負った状態を示す側面図である。
【符号の説明】
１  取付台
２  連結部
２ａ  リング体
２ｂ  リング孔
３  肩ベルト
４  連結部材
４ａ  リング体
４ｂ  リング孔
５  着脱具
５ａ  頭部
５ｂ  円柱状胴部
５ｃ  凸部
６  略半円周溝
７  外周面
８  外周面
９  略半円周溝
１２  捩り溝
１３  凹部
１４  凹部
１５  専用キー
Ｒ  ランドセル
Ｒｐ  背当て部
【図１】
2005007043.tif 000003
【図２】
2005007043.tif 000004
【図３】
2005007043.tif 000005
【図４】
2005007043.tif 000006
【図５】
2005007043.tif 000007
【図６】
2005007043.tif 000008
【図７】
2005007043.tif 000009
【図８】
2005007043.tif 000010
【図９】
2005007043.tif 000011
【図１０】
2005007043.tif 000012
【図１１】
2005007043.tif 000013